(57)【要約】【課題】複数種類の装置が一体型で形成され、各々の装置を用いた検査の際に単一の天板が共用されるとともに、この天板を移動させることなく双方の検査を行えるように構成されたことにより、位置ずれによる画像劣化が防止された医用画像診断装置を提供する。【解決手段】トンネル部２２内に挿入された被検体Ｈから放出された放射線を検出する放射線検出部３を有する核医学診断装置と、トンネル部２２内に挿入された被検体ＨをＸ線でスキャンするＸ線スキャン部４１を有するＸ線ＣＴ装置と、被検体Ｈを載せた天板１２をトンネル部２２内に挿入するベッド装置１１とを備えた。そして、核医学診断装置による診断の際、または前記Ｘ線ＣＴ装置による診断の際に、放射線検出部３１が有する検出器３２と、Ｘ線スキャン部４１が有するＸ線管４２及びＸ線検出器４３とを、相互に検出経路に位置しない位置に移動させる移動駆動手段を備えた。【選択図】  図１
2010259498.tif 000002
【特許請求の範囲】
【請求項１】
トンネル部内に挿入された被検体から放出された放射線を検出する放射線検出部を有する核医学診断装置と、前記トンネル部内に挿入された被検体をＸ線でスキャンするＸ線スキャン部を有するＸ線ＣＴ装置と、被検体を載せた天板を前記トンネル部内に挿入するベッド装置とを備えた医用画像診断装置であって、
前記核医学診断装置による診断の際、または前記Ｘ線ＣＴ装置による診断の際に、前記放射線検出部が有する検出器と、前記Ｘ線スキャン部が有するＸ線管及びＸ線検出器とを、相互に検出経路に位置しない位置に移動させる移動駆動手段を備えたことを特徴とする医用画像診断装置。
【請求項２】
前記放射線検出部による検出対象面、及び、前記Ｘ線スキャン部によるスキャン対象面が相互に傾斜し、
前記移動駆動手段は、前記Ｘ線ＣＴ装置による診断を行う場合、前記Ｘ線スキャン部が有するＸ線検出器を前記放射線検出部が有する放射線検出器の内周側に移動させ、前記核医学診断装置による診断を行う場合、前記Ｘ線スキャン部が有するＸ線検出器を前記放射線検出部が有する放射線検出器の外周側に移動させることを特徴とする請求項１記載の医用画像診断装置。
【請求項３】
前記移動駆動手段は、前記放射線検出部が有する放射線検出器を前記トンネル部の軸方向に沿って移動させて移動用領域を形成することにより、前記Ｘ線スキャン部が有するＸ線検出器を移動させることを特徴とする請求項２記載の医用画像診断装置。
【請求項４】
前記放射線検出部が有する放射線検出器は、複数の検出器が他列されることにより形成され、
前記移動駆動手段は、前記放射線検出部が有する前記複数の検出器に対して、一部を前記トンネル部の軸方向の正方向に、他部を前記トンネル部の軸方向の逆方向に移動させて移動用領域を形成することにより、前記Ｘ線スキャン部が有するＸ線検出器を移動させることを特徴とする請求項２記載の医用画像診断装置。
【請求項５】
前記放射線検出部による検出対象面、及び、前記Ｘ線スキャン部によるスキャン対象面が相互に傾斜し、
前記移動駆動手段は、前記Ｘ線ＣＴ装置による診断を行う場合、前記Ｘ線スキャン部が有するＸ線検出器を前記トンネル部の軸方向に沿って前記放射線検出部による検出経路上に移動させ、前記核医学診断装置による診断を行う場合、前記Ｘ線スキャン部が有するＸ線検出器を前記トンネル部の軸方向に沿って前記放射線検出部による検出経路の外部に移動させることを特徴とする請求項１記載の医用画像診断装置。
【請求項６】
前記放射線検出部による検出対象面、及び、前記Ｘ線スキャン部によるスキャン対象面が相互に傾斜し、
前記移動駆動手段は、前記Ｘ線ＣＴ装置による診断を行う場合、前記放射線検出部が有する放射線検出器を前記トンネル部の軸方向に沿って前記Ｘ線スキャン部による検出経路の外部に移動させ、前記核医学診断装置による診断を行う場合、前記放射線検出部が有する放射線検出器を前記トンネル部の軸方向に沿って前記Ｘ線スキャン部による検出経路の上に移動させることを特徴とする請求項１記載の医用画像診断装置。
【請求項７】
前記放射線検出部が有する放射線検出器は、複数の検出器が他列されることにより形成され、
前記移動駆動手段は、前記放射線検出部が有する前記複数の検出器に対して、一部を前記トンネル部の軸方向の正方向に、他部を前記トンネル部の軸方向の逆方向に移動させることにより、前記Ｘ線スキャン部による検出経路の外部に移動させることを特徴とする請求項２記載の医用画像診断装置。
【請求項８】
トンネル部内に挿入された被検体から放出された放射線を検出する放射線検出部を有する核医学診断装置と、前記トンネル部内に挿入された被検体をＸ線でスキャンするＸ線スキャン部を有するＸ線ＣＴ装置と、被検体を載せた天板を前記トンネル部内に挿入するベッド装置とを備えた医用画像診断装置であって、
前記放射線検出部による検出対象面、及び、前記Ｘ線スキャン部によるスキャン対象面が相互に傾斜し、前記放射線検出部が有する放射線検出器と、前記Ｘ線スキャン部が有するＸ線管及びＸ線検出器とが、相互に検出経路に位置しないように配置されたことを特徴とする医用画像診断装置。
【発明の詳細な説明】
【技術分野】
【０００１】
本発明は、ＳＰＥＣＴ装置やＰＥＴ装置などの核医学診断装置とＸ線ＣＴ装置とを一体型に組み合わせた医用画像診断装置に係り、具体的には、核医学診断装置の検出器とＸ線ＣＴ装置の検出器とが同一のガントリに収納された医用画像診断装置に関する。
【背景技術】
【０００２】
核医学診断装置やＸ線ＣＴ装置などの医用画像診断装置は、各々の装置の原理や特長からそれぞれに一長一短がある。そこで最近では、核医学診断装置とＸ線ＣＴ装置とが一体化されたＰＥＴ−ＣＴ装置のように、それらの各々の機能を補完し合う目的で複合型・融合型の機器が開発されて、それらが一般的になりつつある。
【０００３】
核医学診断装置として、ＰＥＴ（ｐｏｓｉｔｒｏｎ  ｅｍｉｓｓｉｏｎ  ｔｏｍｏｇｒａｐｈｙ）装置やＳＰＥＣＴ（Ｓｉｎｇｌｅ  ｐｈｏｔｏｎ  ｅｍｉｓｓｉｏｎ  ｃｏｍｐｕｔｅｄ  ｔｏｍｏｇｒａｐｈｙ）装置あるいはガンマカメラなどが知られている。これらの装置はいずれも放射性薬剤を被検者（患者）に投与し、その被検者の体内から発せられる放射線を体外で検出して画像（放射性薬剤の濃度分布像）を得るものである。すなわち、癌の病巣に集まる性質を有する薬剤を用い、これに放射性の核種で標識しておけば、癌病巣そのものの大きさ・形状が表現された画像を得ることができ、医学的な診断に役立てることができる。
【０００４】
しかし、これらの画像は核種の集積・分布状態を表わすのみであるため、それが人体内組織のどこに存在するかについては、必ずしも明確にならない。たとえばＰＥＴ装置について説明すると、癌の病巣に集まる性質を有する薬剤にポジトロン放出性核種で標識した上で、この薬剤を人体内に投与する。ポジトロン消滅時に１８０°反対方向にガンマ線が放出されるので、人体を囲む３６０°の円周上の各位置においてそのガンマ線を検出し、その２つのガンマ線の同時入射をとらえる。それらの入射位置を結ぶ線上に核種が位置するのであるから、それら入射位置を結ぶ線のデータを位置データとして得る。こうした位置データを一定時間収集し、演算処理することにより、核種の分布像を再構成する。この分布像によると、上記３６０°の検出位置の平面が人体を横切る断層面での核種の濃度分布が表されるが、人体内組織の各々の部位との関連性が明瞭にならない。
【０００５】
一方、Ｘ線ＣＴ装置は、Ｘ線管及びＸ線検出器を被検者の体軸の周囲に回転させるなどして体軸に垂直な断層面において被検者の体をＸ線でスキャンすることによって、断層面内各方向からのＸ線投影データを収集し、この投影データを逆投影することによってその断面におけるＸ線吸収率分布の画像を再構成する。このＸ線ＣＴ画像はその断層面における人体内部の組織形状を表わす。
【０００６】
そこで、医療従事者が確実な診断を下すため、従来、ＰＥＴ装置などの核医学診断装置とＸ線ＣＴ装置とを組み合わせたＰＥＴ−ＣＴ装置などにより同一患者に対して核医学検査とＸ線ＣＴ検査との双方を連続して行い、それらで得たＰＥＴ画像などの核医学画像とＸ線ＣＴ画像とを併用して診断を行うようにしている。
【０００７】
ところで、核医学診断装置とＸ線ＣＴ装置とを組み合わせた従来の医用画像診断装置において、天板送出方向（天板長さ方向）にＰＥＴ装置のガントリ（放射線検出部）とＸ線ＣＴ装置のガントリ（Ｘ線スキャン部）とが順に並ぶような縦列的な位置関係になるように構成されていて、天板上に被検者を載せる単一のベッド装置がＰＥＴ装置とＸ線ＣＴ装置とで共用されていた。そして、このような医用画像診断装置は、天板上の被検者が各々のガントリのトンネル部に順次挿入されるように、天板が送出されたり各々のガントリが天板長さ方向に移動したりするように構成されている。
【０００８】
この場合、天板がガントリのトンネル部内に挿入される関係上、ベッド装置により片持ち梁状態で支持されることになり、ベッド装置から離れた側に設置されたガントリのトンネル部に被検者を挿入させた場合に、片持ち梁の長さが長くなってしまうため、その撓みが大きくなってしまう。天板の撓み量が大きくなると、被検者の重力方向の位置が大きくずれてしまい、画像の位置精度が劣化してしまう。また、天板が移動するときの患者の精神的負担も大きくなってしまう。
【０００９】
そこで、患者の精神的な負担を軽減するとともに天板の撓みを少なくしさらにベッド装置の小型化をも図られた医用画像診断装置が提案されている（特許文献１参照）。この医用画像診断装置は、ベッド装置の患者を載せる天板の長さ方向での送出方向延長上にガントリを位置させ、この一つのガントリ内にトンネル部の軸合わせをしたＰＥＴ検出部とＣＴスキャン部とを密接配置し、ガントリを回転機構に配置し、鉛直方向のガントリ中心軸周りに回転可能に保持し、ＰＥＴ検査を行う場合にはＰＥＴ検出部がベッド装置に近い側に、Ｘ線ＣＴ検査を行う場合にはＣＴスキャン部がベッド装置に近い側になるように１８０°回転させることにより、いずれの場合にも被検者のトンネル部への挿入量が少なくて済むように設計されたものである。
【先行技術文献】
【特許文献】
【００１０】
【特許文献１】特開２００６−２５５０８２号公報
【発明の概要】
【発明が解決しようとする課題】
【００１１】
従来、核医学診断装置とＸ線ＣＴ装置とが一体化された医用画像診断装置を用いて検査を行う際、医療従事者は、患者セッティング後に、天板の位置を間違えてしまうなどの操作ミスや操作をやり直しせざるを得ない状況を防止するために、Ｘ線ＣＴ検査での撮影であるかＰＥＴ検査での撮影であるかを常に意識して操作する必要があった。また、ＰＥＴ装置とＸ線ＣＴ装置とが並列に設置されているため、占有空間も大きい上、操作しづらく、並列配置方向でのＰＥＴ検査の撮影断面での中心とＸ線ＣＴ検査の撮影断面の中心を一致させるために、Ｚ軸方向における調整が必要であった。さらに、天板を各々の検出器の位置へ移動させるための動作や時間により、検査スループットが低下してしまっていた。
【００１２】
ＰＥＴ装置及びＸ線ＣＴ装置の各々の検出器は数十ｃｍから１ｍ弱程度の間隔をおいて設置されているため、天板が長大になってしまう傾向があり、取り回し負荷増大とともに患者体重加重により天板が重力方向に撓り、融合画像の画質への悪影響が発生してしまうという問題もあった。
【００１３】
本発明はこのような事情を考慮してなされたもので、たとえば核医学診断装置及びＸ線ＣＴ装置などの複数種類の装置が一体型で形成された医用画像診断装置であって、各々の装置を用いた検査の際に単一の天板が共用されるとともに、この天板を移動させることなく双方の検査を行えるように構成されたことにより、各々の検査間の位置ずれによる画像劣化が防止された医用画像診断装置を提供することを目的とする。
【課題を解決するための手段】
【００１４】
本発明に係る医用画像診断装置は、トンネル部内に挿入された被検体から放出された放射線を検出する放射線検出部を有する核医学診断装置と、前記トンネル部内に挿入された被検体をＸ線でスキャンするＸ線スキャン部を有するＸ線ＣＴ装置と、被検体を載せた天板を前記トンネル部内に挿入するベッド装置とを備えた医用画像診断装置であって、前記核医学診断装置による診断の際、または前記Ｘ線ＣＴ装置による診断の際に、前記放射線検出部が有する検出器と、前記Ｘ線スキャン部が有するＸ線管及びＸ線検出器とを、相互に検出経路に位置しない位置に移動させる移動駆動手段を備えたことを特徴とする。
【発明の効果】
【００１５】
本発明に係る医用画像診断装置によると、たとえば核医学診断装置及びＸ線ＣＴ装置などの複数種類の装置が一体型で形成され、各々の装置を用いた検査の際に単一の天板が共用されるとともに、この天板を移動させることなく双方の検査を行えるように構成されたことにより、各々の検査間の位置ずれによる画像劣化を防止することが可能となる。
【図面の簡単な説明】
【００１６】
【図１】第１実施形態の医用画像診断装置を示す構成図。
【図２】（Ａ）は、第１実施形態の医用画像診断装置が備えているＰＥＴ装置を正面から見た様子を示す概略図、（Ｂ）は、このＰＥＴ装置を側面（（Ａ）に示すＡ方向）から見た様子を示す概略図、（Ｃ）は、このＰＥＴ装置の検出器を示す斜視図。
【図３】（Ａ）は、第１実施形態の医用画像診断装置が備えているＸ線ＣＴ装置を正面から見た様子を示す概略図、（Ｂ）は、このＸ線ＣＴ装置を側面（（Ａ）に示すＡ方向）から見た様子を示す概略図、（Ｃ）は、このＸ線ＣＴ装置のＸ線管及び検出器を示す斜視図。
【図４】（Ａ）は、第１実施形態の医用画像診断装置が被検体を撮影する様子を示す概略図、（Ｂ）は、第１実施形態の用画像診断装置におけるＰＥＴ装置とＸ線ＣＴ装置との配置例を示す概略図。
【図５】（Ａ）は、第１実施形態の医用画像診断装置におけるＰＥＴ検出器やＣＴ検出器を正面から見た配置例を示す概略図、（Ｂ）は、第１実施形態の医用画像診断装置におけるＰＥＴ検出器やＣＴ検出器を側面（（Ａ）に示すＡ方向）から見た配置例を示す概略図。
【図６】（Ａ）は、第１実施形態の医用画像診断装置におけるＰＥＴ検出器やＣＴ検出器を正面から見た配置例を示す概略図、（Ｂ）は、第１実施形態の医用画像診断装置におけるＰＥＴ検出器やＣＴ検出器を側面（（Ａ）に示すＡ方向）から見た配置例を示す概略図。
【図７】第１実施形態の医用画像診断装置がＸ線ＣＴ装置を用いて被検体を撮影する様子を示す図。
【図８】（Ａ）は、第１実施形態の医用画像診断装置におけるＸ線ＣＴ装置による撮影時のＰＥＴ検出器やＣＴ検出器を正面から見た配置例を示す概略図、（Ｂ）は、第１実施形態の医用画像診断装置におけるＸ線ＣＴ装置による撮影時のＰＥＴ検出器やＣＴ検出器を側面（（Ａ）に示すＡ方向）から見た配置例を示す概略図。
【図９】第１実施形態の医用画像診断装置におけるＸ線ＣＴ装置を用いた撮影が終了した後にＣＴ検出器を移動させる前の様子を示す図。
【図１０】（Ａ）は、第１実施形態の医用画像診断装置におけるＸ線ＣＴ装置を用いた撮影が終了した後にＣＴ検出器を移動させる前のＰＥＴ検出器やＣＴ検出器を正面から見た配置例を示す概略図、（Ｂ）は、第１実施形態の医用画像診断装置におけるＸ線ＣＴ装置を用いた撮影が終了した後にＣＴ検出器を移動させる前のＰＥＴ検出器やＣＴ検出器を側面（（Ａ）に示すＡ方向）から見た配置例を示す概略図。
【図１１】第１実施形態の医用画像診断装置におけるＸ線ＣＴ装置を用いた撮影が終了した後でＰＥＴ装置を用いて被検体を撮影する前の様子を示す図。
【図１２】（Ａ）は、第１実施形態の医用画像診断装置におけるＸ線ＣＴ装置を用いた撮影が終了した後にＣＴ検出器を移動させた後のＰＥＴ検出器やＣＴ検出器を正面から見た配置例を示す概略図、（Ｂ）は、第１実施形態の医用画像診断装置におけるＸ線ＣＴ装置を用いた撮影が終了した後にＣＴ検出器を移動させた後のＰＥＴ検出器やＣＴ検出器を側面（（Ａ）に示すＡ方向）から見た配置例を示す概略図。
【図１３】第１実施形態の医用画像診断装置においてＰＥＴ装置を用いて被検体を撮影するときの様子を示す図。
【図１４】（Ａ）は、第２実施形態の医用画像診断装置におけるＸ線ＣＴ装置による撮影時のＰＥＴ検出器やＣＴ検出器を正面から見た配置例を示す概略図、（Ｂ）は、第２実施形態の医用画像診断装置におけるＸ線ＣＴ装置による撮影時のＰＥＴ検出器やＣＴ検出器を側面（（Ａ）に示すＡ方向）から見た配置例を示す概略図。
【図１５】（Ａ）は、第２実施形態の医用画像診断装置におけるＸ線ＣＴ装置を用いた撮影が終了した後にＣＴ検出器を移動させるときのＰＥＴ検出器やＣＴ検出器を正面から見た配置例を示す概略図、（Ｂ）は、第２実施形態の医用画像診断装置におけるＸ線ＣＴ装置を用いた撮影が終了した後にＣＴ検出器を移動させるときのＰＥＴ検出器やＣＴ検出器を側面（（Ａ）に示すＡ方向）から見た配置例を示す概略図。
【図１６】（Ａ）は、第３実施形態の医用画像診断装置におけるＸ線ＣＴ装置による撮影時のＰＥＴ検出器やＣＴ検出器を正面から見た配置例を示す概略図、（Ｂ）は、第３実施形態の医用画像診断装置におけるＸ線ＣＴ装置による撮影時のＰＥＴ検出器やＣＴ検出器を側面（（Ａ）に示すＡ方向）から見た配置例を示す概略図、（Ｃ）は、第３実施形態の医用画像診断装置におけるＸ線ＣＴ装置による撮影が終了した後にＰＥＴ装置による撮影が行われる前のＰＥＴ検出器やＣＴ検出器を側面から見た配置例を示す概略図。
【図１７】（Ａ）は、第３実施形態の医用画像診断装置におけるＰＥＴ装置による撮影時のＰＥＴ検出器やＣＴ検出器を正面から見た配置例を示す概略図、（Ｂ）は、第３実施形態の医用画像診断装置におけるＰＥＴ装置による撮影時のＰＥＴ検出器やＣＴ検出器を側面（（Ａ）に示すＡ方向）から見た配置例を示す概略図。
【図１８】（Ａ）は、第４実施形態の医用画像診断装置におけるＸ線ＣＴ装置による撮影時のＰＥＴ検出器やＣＴ検出器を正面から見た配置例を示す概略図、（Ｂ）は、第４実施形態の医用画像診断装置におけるＸ線ＣＴ装置による撮影時のＰＥＴ検出器やＣＴ検出器を側面（（Ａ）に示すＡ方向）から見た配置例を示す概略図。
【図１９】（Ａ）は、第４実施形態の医用画像診断装置におけるＰＥＴ装置による撮影時のＰＥＴ検出器やＣＴ検出器を正面から見た配置例を示す概略図、（Ｂ）は、第４実施形態の医用画像診断装置におけるＰＥＴ装置による撮影時のＰＥＴ検出器やＣＴ検出器を側面（（Ａ）に示すＡ方向）から見た配置例を示す概略図。
【発明を実施するための形態】
【００１７】
〔第１実施形態〕
本発明に係る医用画像診断装置の第１実施形態について図１乃至図１３を参照して説明する。図１は、第１実施形態の医用画像装置１を示す構成図である。医用画像診断装置１は、核医学診断装置とＸ線ＣＴ装置を一体型に備えた装置である。核医学診断装置は、ＰＥＴ装置、ＳＰＥＣＴ装置、ガンマカメラなどであり、ここでは、医用画像診断装置１がＰＥＴ装置を備えている場合について説明する。
【００１８】
図１に示すように、医用画像診断装置１は、主に、患者（被検者Ｈ）が載置されるベッド装置１１、検出器により検出データが取得されるガントリ２１、医療従事者がベッド装置１１やガントリ２１を操作するためのコンソール５１を備えている。
【００１９】
ベッド装置１１はベッド天板１２を備えていて、上部に被検者Ｈが載置されたベッド天板１２を被検者Ｈの体軸方向（図１に矢印で示す）に移動させることによって被検者Ｈをガントリ２１に対する進退方向に移動させる。このガントリ２１は、たとえば円筒状に形成されているとともに、ベッド天板１２の長さ方向延長上（ベッド天板１２の送出方向）に軸方向が位置するように設置され、内部にはＰＥＴ検出部（ＰＥＴ装置）３１とＣＴスキャン部（Ｘ線ＣＴ装置）４１とが収納されている。
【００２０】
ガントリ２１は軸付近にトンネル部２２が設けられ、このトンネル部２２内にベッド天板１２（及び被検者Ｈ）が挿入されるように、トンネル部２２の長さ方向がベッド天板１２の長さ方向（被検体Ｈの体軸方向）に位置するようにガントリ２１が配置されている。
【００２１】
ＰＥＴ装置３１は、このトンネル部２２の周囲を囲むように３６０°リング型に配置された多数の放射線検出器３２を備えている。またＸ線ＣＴ装置４１では、Ｘ線管４２とＸ線検出器４３とがトンネル部２２を挟んで対向する位置を保ちながらトンネル部２２の周囲を回転することによって、Ｘ線で被検者Ｈの体をスキャンする。すなわち、医用画像診断装置１は、ＰＥＴ装置３１及びＸ線ＣＴ装置４１が、トンネル部２２の中心軸が同一の中心軸となるように配置されていることにより、ＰＥＴ検査及びＸ線ＣＴ検査の双方の検査を連続して行うことができる。
【００２２】
ガントリ２１は、ガントリ回転機構２３によって水平面内で回転するよう、鉛直方向のガントリ中心軸回りに回転可能に保持されている。その回転機構２３としては、ターンテーブル式の機構やリング型レールによるものなどが考えられる。この回転機構２３により、ガントリ２１を回転させることができる。
【００２３】
ガントリ２１はガントリ回転機構２３を備えている。ガントリ回転機構２３内にはモータなどの回転駆動装置２４が収められ、ガントリ２１の側面に設けた回転操作部（操作ボタンとコントローラなど）２５によってその回転駆動装置２４の制御がなされる。また、ガントリ２１から離れた場所に設置されたコンソール（操作卓）５１にも回転操作部（操作ボタンとコントローラなど）５２が設けられ、コンソール５１からも回転駆動装置２４の制御が可能である。なお、このコンソール５１には、ＰＥＴ装置３１及びＸ線ＣＴ装置４１の各種設定や入力を行うキーボードなどの操作部や、その入力に応じてＰＥＴ装置３１及びＸ線ＣＴ装置４１をそれぞれ制御する制御部や、ＰＥＴ装置３１及びＸ線ＣＴ装置４１から得たデータを収集して画像再構成演算を行う演算部や、再構成された画像を表示する画像表示部などが備えられている。
【００２４】
図２（Ａ）は、医用画像診断装置１が備えているＰＥＴ装置３１を正面から見た様子を示す概略図であり、図２（Ｂ）は、このＰＥＴ装置３１を側面（（Ａ）に示すＡ方向）から見た様子を示す概略図であり、図２（Ｃ）は、このＰＥＴ装置３１の検出器を示す斜視図である。ＰＥＴ装置３１は、図２（Ａ）及び図２（Ｂ）に示すように、ガントリ２１の外周に複数のＰＥＴ検出器３２を備えている。ＰＥＴ検出器３２は、図２（Ｃ）に示すように、放射線を受けたときに蛍光するシンチレータと、このシンチレータの光を電子に変換して増幅させる光電子倍増管（ＰＭＴ）を備えている。医用画像診断装置１は、ガントリ２１のトンネル部２２の内部に設置された被検体Ｈから放出された放射線を、これらのＰＥＴ検出器３２で検出する。
【００２５】
図３（Ａ）は、医用画像診断装置１が備えているＸ線ＣＴ装置４１を正面から見た様子を示す概略図であり、図３（Ｂ）は、このＸ線ＣＴ装置４１を側面（（Ａ）に示すＡ方向）から見た様子を示す概略図であり、図３（Ｃ）は、このＸ線ＣＴ装置４１のＸ線管４２及びＣＴ検出器４３を示す斜視図である。Ｘ線ＣＴ装置４１は、図３（Ａ）及び図３（Ｂ）に示すように、Ｘ線を出力するＸ線管４２と、このＸ線管４２から出力されたＸ線を検出する複数のＣＴ検出器４３とを備えている。ＣＴ検出器４３は、図３（Ｃ）に示すように、放射線を受けたときに蛍光するシンチレータと、このシンチレータの光により電子を励起させるフォトダイオードとを備えている。医用画像診断装置１は、Ｘ線管４２から出力されたＸ線を、これらのＣＴ検出器４３で検出する。なお、Ｘ線管４２から出力されたＸ線の一部は、ガントリ２１のトンネル部２２の内部に設置された被検体Ｈを通過する際に吸収されて減衰している。
【００２６】
図４（Ａ）は、医用画像診断装置１が被検体Ｈを撮影する様子を示す概略図であり、図４（Ｂ）は、医用画像診断装置１におけるＰＥＴ装置３１とＸ線ＣＴ装置４１との配置例を示す概略図である。図４（Ａ）及び図４（Ｂ）に示すように、医用画像診断装置１において、ＰＥＴ装置３１とＸ線ＣＴ装置４１とは、撮影の際の中心軸がほぼ一致するように設置されていて、ＰＥＴ検出器３２とＣＴ検出器４３を備えたガントリ２１が被検体Ｈの体軸方向に移動することにより、被検体Ｈの位置を移動させることなく、ＰＥＴ装置３１による撮影、Ｘ線ＣＴ装置４１による撮影を行うことができる。
【００２７】
ここで、医用画像診断装置１がＰＥＴ検出器３２とＣＴ検出器４３とを備えている場合に、これらの検出器の配置によっては、ＰＥＴ装置３１による撮影がＣＴ検出器４３により妨げられたり、逆にＸ線ＣＴ装置４１による撮影がＰＥＴ検出器３２により妨げられたりする可能性がある。そこで医用画像診断装置１は、ＰＥＴ検出器３２とＣＴ検出器４３がそれぞれの撮影のときに相互に妨げないように構成されている。
【００２８】
図５（Ａ）は、医用画像診断装置１におけるＰＥＴ検出器３２やＣＴ検出器４３を正面から見た配置例を示す概略図であり、図５（Ｂ）は、医用画像診断装置１におけるＰＥＴ検出器３２やＣＴ検出器４３を側面から見た配置例を示す概略図である。図５（Ａ）に示すように、ＰＥＴ検出器３２とＣＴ検出器４３とは正面視で同様の位置に設置されるが、図５（Ｂ）に示すように、ＰＥＴ検出器３２がガントリ２１の軸方向に対して垂直に、Ｘ線管４２及びＣＴ検出器４３がＰＥＴ検出器３２の配置方向に対して角度θだけ傾斜するように配置される。これにより、ＰＥＴ検出器３２及びＣＴ検出器４３が相互に検出を妨げることなく、ＰＥＴ装置３１及びＸ線ＣＴ装置４１による撮影が行われる。
【００２９】
図６（Ａ）は、医用画像診断装置１におけるＰＥＴ検出器３２やＣＴ検出器４３を正面から見た配置例を示す概略図であり、図６（Ｂ）は、医用画像診断装置１におけるＰＥＴ検出器３２やＣＴ検出器４３を側面から見た配置例を示す概略図である。医用画像診断装置１において、図６（Ａ）及び図６（Ｂ）に示すように、ＣＴ検出器４３を列数の変更や材質加工により小型に形成しても良い。これにより、Ｘ線管４２及びＣＴ検出器４３のガントリ２１に対する傾斜を小さくした場合であっても、ＰＥＴ検査の際にＣＴ検出器４３により撮影が妨げられることが防止される。
【００３０】
また、医用画像診断装置１は、ＰＥＴ装置３１を用いて検査するかＸ線ＣＴ装置４１を用いて検査するかによってＰＥＴ検出器３２及びＣＴ検出器４３の配置を変更できる機能（移動駆動手段）を備えるようにしても良い。これにより、医用画像診断装置１は、被検体Ｈの体軸方向の位置を移動させることなく、ＰＥＴ検出器３２またはＣＴ検出器４３を移動させることによって、ＰＥＴ検査、Ｘ線ＣＴ検査の双方を、場合によっては撮影対象とする断面を一致させつつ撮影することができる。
【００３１】
図７は、医用画像診断装置１がＸ線ＣＴ装置４１を用いて被検体Ｈを撮影する様子を示す図である。図８（Ａ）は、医用画像診断装置１におけるＸ線ＣＴ装置４１による撮影時のＰＥＴ検出器３２やＣＴ検出器４３を正面から見た配置例を示す概略図であり、図８（Ｂ）は、医用画像診断装置１におけるＸ線ＣＴ装置４１による撮影時のＰＥＴ検出器３２やＣＴ検出器４３を側面から見た配置例を示す概略図である。
【００３２】
図７に示すように、医用画像診断装置１がＸ線ＣＴ装置４１を用いて、被検体Ｈの頭から足に向けて撮影する際、図８（Ａ）、図８（Ｂ）に示すように、ＣＴ検出器４３をＰＥＴ検出器３２よりも内周側に位置させることにより、ＰＥＴ検出器３２により撮影が妨げられることが防止される。Ｘ線ＣＴ装置４１を用いて撮影するときにはＰＥＴ検出器３２は使用されないので、被検体ＨとＰＥＴ検出器３２との間にＣＴ検出器４３があっても問題ない。
【００３３】
図９は、医用画像診断装置１におけるＸ線ＣＴ装置４１を用いた撮影が終了した後にＣＴ検出器４３を移動させる前の様子を示す図である。図１０（Ａ）は、医用画像診断装置１におけるＸ線ＣＴ装置４１を用いた撮影が終了した後にＣＴ検出器４３を移動させる前のＰＥＴ検出器３２やＣＴ検出器４３を正面から見た配置例を示す概略図であり、図１０（Ｂ）は、医用画像診断装置１におけるＸ線ＣＴ装置４１を用いた撮影が終了した後にＣＴ検出器４３を移動させる前のＰＥＴ検出器３２やＣＴ検出器４３を側面から見た配置例を示す概略図である。
【００３４】
図９に示すように、医用画像診断装置１がＸ線ＣＴ装置４１を用いた撮影を終了した後でＰＥＴ装置３１を用いた撮影を行う前に、ガントリ２１の回転を停止させた状態で、図１０（Ａ）、図１０（Ｂ）に示すように、ＰＥＴ検出器３２をＸ線ＣＴ装置４１による撮影対象面から外れるようにスライドさせてＸ線ＣＴ検出器４３が通過できる程度の空きスペースを形成し、この空きスペースを通過するようにしてＣＴ検出器４３をＰＥＴ検出器３２よりも外周側に移動させる。
【００３５】
図１１は、医用画像診断装置１におけるＸ線ＣＴ装置４１を用いた撮影が終了した後でＰＥＴ装置３１を用いて被検体Ｈを撮影する前の様子を示す図である。図１２（Ａ）は、医用画像診断装置１におけるＸ線ＣＴ装置４１を用いた撮影が終了した後にＣＴ検出器４３を移動させた後のＰＥＴ検出器３２やＣＴ検出器４３を正面から見た配置例を示す概略図であり、図１２（Ｂ）は、医用画像診断装置１におけるＸ線ＣＴ装置４１を用いた撮影が終了した後にＣＴ検出器４３を移動させた後のＰＥＴ検出器３２やＣＴ検出器４３を側面から見た配置例を示す概略図である。
【００３６】
図１１に示すように、医用画像診断装置１がＸ線ＣＴ装置４１を用いた撮影を終了した後でＰＥＴ装置３１を用いた撮影を行う前に、ガントリ２１の回転を停止させた状態で、図１２（Ａ）、図１２（Ｂ）に示すように、スライドさせたＰＥＴ検出器３２を再びスライドさせて元の位置に戻すことにより、ＣＴ検出器４３のＰＥＴ検出器３２の外周側への設置を完了する。
【００３７】
図１３は、医用画像診断装置１においてＰＥＴ装置３１を用いて被検体Ｈを撮影するときの様子を示す図である。図１３に示すように、医用画像診断装置１がＰＥＴ装置３１を用いた撮影を行うときに、図１２（Ａ）、図１２（Ｂ）に示すように、ＣＴ検出器４３がＰＥＴ検出器３２の外周側に設置された状態で、撮影を行う。ＰＥＴ装置３１を用いて撮影するときにはＣＴ検出器４３は使用されないので、Ｘ線管４２とＣＴ検出器４３との間にＰＥＴ検出器３２があっても問題ない。
【００３８】
このように、医用画像診断装置１は、ＰＥＴ装置３１またはＸ線ＣＴ装置４１を用いた検査を行う際に、単一のベッド天板１２が共用されるとともに、ＰＥＴ検出器３２とＣＴ検出器４３とを同一のガントリに収納し、ＰＥＴ検査を行う場合にはＣＴ検出器４３が撮影の妨げられないように、Ｘ線ＣＴ検査を行う場合にはＰＥＴ検出器３２が撮影の妨げにならないようにそれぞれ構成されることにより、ベッド天板１２を移動させることなく双方の検査を連続して行うことができる。
【００３９】
これにより、ベッド天板１２の移動による患者の精神的負担を軽減することができる。また、ベッド天板１２の撓みによる画像劣化を防止することができる。さらに、医療従事者がＰＥＴ検査の際のベッド天板１２の位置、Ｘ線ＣＴ検査の際のベッド天板１２の位置を誤って撮影してしまうことが防止される。その上、医療従事者は、撮影の際にベッド天板１２の挿入方向や検査開始位置に気を取られることがなく、被検体Ｈの検査部位に集中することができる。
【００４０】
また、医用画像診断装置１は、ＰＥＴ検出器３２及びＸ線ＣＴ検出器４３が同一のガントリ２１内に収納されたことにより、占有体積を小さくして小型化を実現できる。さらに、医用画像診断装置１の構造によってはＰＥＴ検査及びＸ線ＣＴ検査における撮影断面の中心を一致させるための調整が不要となる。
【００４１】
第１実施形態によると、たとえば核医学診断装置（ＰＥＴ装置３１）及びＸ線ＣＴ装置４１などの複数種類の装置が一体型で形成され、複数の検出器（ＰＥＴ検出器３２、Ｘ線ＣＴ検出器４３）を備え、各々の装置を用いた検査の際に単一のベッド天板１２が共用されるとともに、このベッド天板１２を移動させることなく双方の検査を行えるように構成されたことにより、各々の検査間の位置ずれ（特にベッド天板１２の撓みによる位置ずれ）による画像劣化を防止することが可能となる。
【００４２】
〔第２実施形態〕
本発明に係る医用画像診断装置の第２実施形態について図１４及び図１５を参照して説明する。第２実施形態の医用画像診断装置１は、第１実施形態の医用画像診断装置１と同様に、ＰＥＴ装置３１とＸ線ＣＴ装置４１とを備えていて、ＰＥＴ検出器３２とＣＴ検出器４３とが同一の軸に設置されることにより、ＰＥＴ装置３１による撮影とＸ線ＣＴ装置４１による撮影を連続して行うことができる。なお、第１実施形態と同一の構成には同一の符号を付し、重複する説明を省略する。
【００４３】
図１４（Ａ）は、医用画像診断装置１におけるＸ線ＣＴ装置４１による撮影時のＰＥＴ検出器３２やＣＴ検出器４３を正面から見た配置例を示す概略図であり、図１４（Ｂ）は、医用画像診断装置１におけるＸ線ＣＴ装置４１による撮影時のＰＥＴ検出器３２やＣＴ検出器４３を側面から見た配置例を示す概略図である。
【００４４】
医用画像診断装置１がＸ線ＣＴ装置４１を用いて、被検体Ｈを撮影する際、図１４（Ａ）及び図１４（Ｂ）に示すように、ＣＴ検出器４３をＰＥＴ検出器３２よりも内周側に位置させることにより、ＰＥＴ検出器３２により撮影が妨げられることが防止される。Ｘ線ＣＴ装置４１を用いて撮影するときにはＰＥＴ検出器３２は使用されないので、被検体ＨとＰＥＴ検出器３２との間にＣＴ検出器４３があっても問題ない。
【００４５】
図１５（Ａ）は、医用画像診断装置１におけるＸ線ＣＴ装置４１を用いた撮影が終了した後にＣＴ検出器４３を移動させるときのＰＥＴ検出器３２やＣＴ検出器４３を正面から見た配置例を示す概略図であり、図１５（Ｂ）は、医用画像診断装置１におけるＸ線ＣＴ装置４１を用いた撮影が終了した後にＣＴ検出器４３を移動させるときのＰＥＴ検出器３２やＣＴ検出器４３を側面から見た配置例を示す概略図である。
【００４６】
医用画像診断装置１がＸ線ＣＴ装置４１を用いた撮影を終了した後でＰＥＴ装置３１を用いた撮影を行う前に、ガントリ２１の回転を停止させた状態で、図１５（Ａ）、図１５（Ｂ）に示すように、ＣＴ検出器４３をガントリ２１の回転軸の軸方向に移動させて、相対するＰＥＴ検出器３２間の外側に移動させる。そして、医用画像診断装置１がＰＥＴ装置３１を用いた撮影を行うときに、ＣＴ検出器４３がＰＥＴ検出器３２の外側に設置された状態で、撮影を行う。
【００４７】
このように、医用画像診断装置１は、ＰＥＴ装置３１またはＸ線ＣＴ装置４１を用いた検査を行う際に、単一のベッド天板１２が共用されるとともに、ＰＥＴ検出器３２とＣＴ検出器４３とを同一のガントリ１２内に収納し、ＰＥＴ検査を行う場合にはＣＴ検出器４３が撮影の妨げられないように、Ｘ線ＣＴ検査を行う場合にはＰＥＴ検出器３２が撮影の妨げにならないようにそれぞれ構成されることにより、ベッド天板１２を移動させることなく双方の検査を行うことができる。
【００４８】
これにより、ベッド天板１２の移動による患者の精神的負担を軽減することができる。また、ベッド天板１２の撓みによる画像劣化を防止することができる。また、医療従事者がＰＥＴ検査の際のベッド天板１２の位置、Ｘ線ＣＴ検査の際のベッド天板１２の位置を誤った状態で撮影してしまうことが防止される。また、医療従事者は、撮影の際にベッド天板１２の挿入方向や検査開始位置に気を取られることがなく、被検体Ｈの検査部位に集中することができる。
【００４９】
また、医用画像診断装置１は、ＰＥＴ検出器３２及びＸ線ＣＴ検出器４３が同一のガントリ２１内に収納されたことにより、占有体積を小さくして小型化を実現できる。さらに、医用画像診断装置１の構造によってはＰＥＴ検査及びＸ線ＣＴ検査における撮影断面の中心を一致させるための調整が不要となる。
【００５０】
第２実施形態によると、たとえば核医学診断装置（ＰＥＴ装置３１）及びＸ線ＣＴ装置４１などの複数種類の装置が一体型で形成され、可動型検出器（Ｘ線ＣＴ検出器４３）を備え、各々の装置を用いた検査の際に単一のベッド天板１２が共用されるとともに、このベッド天板１２を移動させることなく双方の検査を行えるように構成されたことにより、各々の検査間の位置ずれ（特にベッド天板１２の撓みによる位置ずれ）による画像劣化を防止することが可能となる。
【００５１】
〔第３実施形態〕
本発明に係る医用画像診断装置の第３実施形態について図１６及び図１７を参照して説明する。第３実施形態の医用画像診断装置１は、第１実施形態の医用画像診断装置１や第２実施形態の医用画像診断装置１と同様に、ＰＥＴ装置３１とＸ線ＣＴ装置４１とを備えていて、ＰＥＴ検出器３２ｃとＣＴ検出器４３とが同一の軸に設置されることにより、ＰＥＴ装置３１による撮影とＸ線ＣＴ装置４１による撮影を連続して行うことができる。なお、第１実施形態または第２実施形態と同一の構成には同一の符号を付し、重複する説明を省略する。
【００５２】
図１６（Ａ）は、医用画像診断装置１におけるＸ線ＣＴ装置４１による撮影時のＰＥＴ検出器３２ｃやＣＴ検出器４３を正面から見た配置例を示す概略図であり、図１６（Ｂ）は、医用画像診断装置１におけるＸ線ＣＴ装置４１による撮影時のＰＥＴ検出器３２ｃやＣＴ検出器４３を側面から見た配置例を示す概略図であり、図１６（Ｃ）は、医用画像診断装置１におけるＸ線ＣＴ装置４１による撮影が終了した後にＰＥＴ装置３１による撮影が行われる前のＰＥＴ検出器３２ｃやＣＴ検出器４３を側面から見た配置例を示す概略図である。
【００５３】
第３実施形態の医用画像診断装置１は、第１実施形態の医用画像診断装置１や第２実施形態の医用画像診断装置１のＰＥＴ検出器３２に比べて小型のＰＥＴ検出器３２ｃが使用されており、これらの小型のＰＥＴ検出器３２ｃが他列されて配列されることにより形成されている。また、これらの複数の小型のＰＥＴ検出器３２ｃは、ガントリ２１の厚さ方向（トンネル部２２の軸方向）に２分して移動できる（半数が正方向に、残りの半数が逆方向に移動できる）ようにそれぞれ配置されている。
【００５４】
医用画像診断装置１がＸ線ＣＴ装置４１を用いて、被検体Ｈを撮影する際、図１６（Ａ）及び図１６（Ｂ）に示すように、ＣＴ検出器４３をＰＥＴ検出器３２ｃよりも内周側に位置させることにより、ＰＥＴ検出器３２ｃにより撮影が妨げられることが防止される。Ｘ線ＣＴ装置４１を用いて撮影するときにはＰＥＴ検出器３２ｃは使用されないので、被検体ＨとＰＥＴ検出器３２ｃとの間にＣＴ検出器４３があっても問題ない。
【００５５】
医用画像診断装置１がＸ線ＣＴ装置４１を用いた撮影を終了した後でＰＥＴ装置３１を用いた撮影を行う前に、ガントリ２１の回転を停止させた状態で、図１６（Ｃ）に示すように、ガントリ２１の厚さ方向における中心付近に空きスペースができるように、複数のＰＥＴ検出器３２ｃをガントリ２１の厚さ方向に対して２分されるようにそれぞれ移動させ、この空きスペースを用いて、ＣＴ検出器４３をＰＥＴ検出器３２ｃの外周側に移動させる。
【００５６】
図１７（Ａ）は、医用画像診断装置１におけるＰＥＴ装置３１による撮影時のＰＥＴ検出器３２ｃやＣＴ検出器４３を正面から見た配置例を示す概略図であり、図１７（Ｂ）は、医用画像診断装置１におけるＰＥＴ装置３１による撮影時のＰＥＴ検出器３２ｃやＣＴ検出器４３を側面から見た配置例を示す概略図である。
【００５７】
図１７（Ａ）及び図１７（Ｂ）に示すように、医用画像診断装置１がＰＥＴ装置３１を用いた撮影を行うときに、ＣＴ検出器４３がＰＥＴ検出器３２ｃの外周側に設置された状態で、撮影を行う。
【００５８】
このように、医用画像診断装置１は、ＰＥＴ装置３１またはＸ線ＣＴ装置４１を用いた検査を行う際に、単一のベッド天板１２が共用されるとともに、ＰＥＴ検出器３２ｃとＣＴ検出器４３とを同一のガントリ２１内に収納し、ＰＥＴ検査を行う場合にはＣＴ検出器４３が撮影の妨げられないように、Ｘ線ＣＴ検査を行う場合にはＰＥＴ検出器３２ｃが撮影の妨げにならないようにそれぞれ構成されることにより、ベッド天板１２を移動させることなく双方の検査を行うことができる。
【００５９】
これにより、ベッド天板１２の移動による患者の精神的負担を軽減することができる。また、ベッド天板１２の撓みによる画像劣化を防止することができる。また、医療従事者がＰＥＴ検査の際のベッド天板１２の位置、Ｘ線ＣＴ検査の際のベッド天板１２の位置を誤った状態で撮影してしまうことが防止される。また、医療従事者は、撮影の際にベッド天板１２の挿入方向や検査開始位置に気を取られることがなく、被検体Ｈの検査部位に集中することができる。
【００６０】
また、医用画像診断装置１は、ＰＥＴ検出器３２ｃ及びＸ線ＣＴ検出器４３が同一のガントリ２１内に収納されたことにより、占有体積を小さくして小型化を実現できる。さらに、医用画像診断装置１の構造によってはＰＥＴ検査及びＸ線ＣＴ検査における撮影断面の中心を一致させるための調整が不要となる。
【００６１】
第３実施形態によると、たとえば核医学診断装置（ＰＥＴ装置３１）及びＸ線ＣＴ装置４１などの複数種類の装置が一体型で形成され、可動型検出器（ＰＥＴ検出器３２、Ｘ線ＣＴ検出器４３）を備え、各々の装置を用いた検査の際に単一のベッド天板１２が共用されるとともに、このベッド天板１２を移動させることなく双方の検査を行えるように構成されたことにより、各々の検査間の位置ずれ（特にベッド天板１２の撓みによる位置ずれ）による画像劣化を防止することが可能となる。
【００６２】
〔第４実施形態〕
本発明に係る医用画像診断装置の第４実施形態について図１８及び図１９を参照して説明する。第４実施形態の医用画像診断装置１は、第１実施形態乃至第３実施形態の医用画像診断装置１と同様に、ＰＥＴ装置３１とＸ線ＣＴ装置４１とを備えていて、ＰＥＴ検出器３２ｃとＣＴ検出器４３とが同一の軸に設置されることにより、ＰＥＴ装置３１による撮影とＸ線ＣＴ装置４１による撮影を連続して行うことができる。なお、第１実施形態乃至第３実施形態と同一の構成には同一の符号を付し、重複する説明を省略する。
【００６３】
図１８（Ａ）は、医用画像診断装置１におけるＸ線ＣＴ装置４１による撮影時のＰＥＴ検出器３２ｃやＣＴ検出器４３を正面から見た配置例を示す概略図であり、図１８（Ｂ）は、医用画像診断装置１におけるＸ線ＣＴ装置４１による撮影時のＰＥＴ検出器３２ｃやＣＴ検出器４３を側面から見た配置例を示す概略図である。
【００６４】
第４実施形態の医用画像診断装置１は、第３実施形態の医用画像診断装置１と同様に、第１実施形態の医用画像診断装置１や第２実施形態の医用画像診断装置１に比べて小型のＰＥＴ検出器３２ｃが使用されており、これらの小型のＰＥＴ検出器３２ｃが他列されて配列されることにより形成されている。また、これらの複数の小型のＰＥＴ検出器３２ｃは、ガントリ２１の厚さ方向（トンネル部２２の軸方向）に２分して移動できる（半数が正方向に、残りの半数が逆方向に移動できる）ようにそれぞれ配置されている。
【００６５】
医用画像診断装置１がＸ線ＣＴ装置４１を用いて、被検体Ｈを撮影する際、図１８（Ａ）及び図１８（Ｂ）に示すように、複数のＰＥＴ検出器３２ｃをガントリ２１の厚さ方向の両方向にそれぞれ移動させて空きスペースを作った状態で、ＣＴ検出器４３が、Ｘ線管４２から出力されてこの空きスペースを通過してきた放射線を検出するように配置することにより、ＰＥＴ検出器３２ｃにより撮影が妨げられることが防止される。
【００６６】
そして、医用画像診断装置１がＸ線ＣＴ装置４１を用いた撮影を終了した後でＰＥＴ装置３１を用いた撮影を行う前に、ガントリ２１の回転を停止させた状態で、ガントリ２１のトンネル２２内に設置された被検体Ｈから出力された放射線をＰＥＴ検出器３２ｃが検出できるように、複数のＰＥＴ検出器３２ｃをガントリ２１の元の位置（中心付近）にそれぞれ移動させる。
【００６７】
図１９（Ａ）は、医用画像診断装置１におけるＰＥＴ装置３１による撮影時のＰＥＴ検出器３２ｃやＣＴ検出器４３を正面から見た配置例を示す概略図であり、図１９（Ｂ）は、医用画像診断装置１におけるＰＥＴ装置３１による撮影時のＰＥＴ検出器３２ｃやＣＴ検出器４３を側面から見た配置例を示す概略図である。
【００６８】
図１９（Ａ）及び図１９（Ｂ）に示すように、医用画像診断装置１がＰＥＴ装置３１を用いた撮影を行うときに、複数がＰＥＴ検出器３２がガントリ２１の中心付近に移動されて、ＣＴ検出器４３がＰＥＴ検出器３２ｃの外周側に設置された状態で、撮影を行う。
【００６９】
このように、医用画像診断装置１は、ＰＥＴ装置３１またはＸ線ＣＴ装置４１を用いた検査を行う際に、単一のベッド天板１２が共用されるとともに、ＰＥＴ検出器３２ｃとＣＴ検出器４３とを同一のガントリに収納し、ＰＥＴ検査を行う場合にはＣＴ検出器４３が撮影の妨げられないように、Ｘ線ＣＴ検査を行う場合にはＰＥＴ検出器３２ｃが撮影の妨げにならないようにそれぞれ構成されることにより、ベッド天板１２を移動させることなく双方の検査を行うことができる。
【００７０】
これにより、ベッド天板１２の移動による患者の精神的負担を軽減することができる。また、ベッド天板１２の撓みによる画像劣化を防止することができる。また、医療従事者がＰＥＴ検査の際のベッド天板１２の位置、Ｘ線ＣＴ検査の際のベッド天板１２の位置を誤った状態で撮影してしまうことが防止される。また、医療従事者は、撮影の際にベッド天板１２の挿入方向や検査開始位置に気を取られることがなく、被検体Ｈの検査部位に集中することができる。
【００７１】
また、医用画像診断装置１は、ＰＥＴ検出器３２ｃ及びＸ線ＣＴ検出器４３が同一のガントリ２１内に収納されたことにより、占有体積を小さくして小型化を実現できる。さらに、医用画像診断装置１の構造によってはＰＥＴ検査及びＸ線ＣＴ検査における撮影断面の中心を一致させるための調整が不要となる。
【００７２】
第４実施形態によると、たとえば核医学診断装置（ＰＥＴ装置３１）及びＸ線ＣＴ装置４１などの複数種類の装置が一体型で形成され、可動型検出器（ＰＥＴ検出器３２、Ｘ線ＣＴ検出器４３）を備え、各々の装置を用いた検査の際に単一のベッド天板１２が共用されるとともに、このベッド天板１２を移動させることなく双方の検査を行えるように構成されたことにより、各々の検査間の位置ずれ（特にベッド天板１２の撓みによる位置ずれ）による画像劣化を防止することが可能となる。
【符号の説明】
【００７３】
１…医用画像診断装置，１１…ベッド装置，１２…ベッド天板，２１…ガントリ，２２…トンネル部，２３…ガントリ回転機構，２４…回転駆動装置，２５…回転操作部，３１…ＰＥＴ検出部（ＰＥＴ装置），３２、３２ｃ…ＰＥＴ検出器、３２ａ、４３ａ…シンチレータ，３２ｂ…光電子倍増管，４１…ＣＴスキャン部（Ｘ線ＣＴ装置），４２…Ｘ線管，４３…ＣＴ検出器，５１…コンソール，５２…回転操作部，Ｈ…被検体。
【図１】
2010259498.tif 000003
【図２】
2010259498.tif 000004
【図３】
2010259498.tif 000005
【図４】
2010259498.tif 000006
【図５】
2010259498.tif 000007
【図６】
2010259498.tif 000008
【図７】
2010259498.tif 000009
【図８】
2010259498.tif 000010
【図９】
2010259498.tif 000011
【図１０】
2010259498.tif 000012
【図１１】
2010259498.tif 000013
【図１２】
2010259498.tif 000014
【図１３】
2010259498.tif 000015
【図１４】
2010259498.tif 000016
【図１５】
2010259498.tif 000017
【図１６】
2010259498.tif 000018
【図１７】
2010259498.tif 000019
【図１８】
2010259498.tif 000020
【図１９】
2010259498.tif 000021